(57)【要約】【課題】  受信用排紙スタッカ上および送信用給紙スタッカ上の視認性向上と、送信用原稿セット時の操作性向上とを図ることが可能なファクシミリ装置の提供。【解決手段】  受信用排紙スタッカ３上の記録紙７が送信用給紙スタッカ１上の原稿よりも上方に排出され、かつ記録紙７と原稿が重ならないように送信用給紙スタッカ１の後方に受信用排紙スタッカ３が設けられる。これにより、受信用排紙スタッカ１上の記録紙７および送信用給紙スタッカ１上の原稿の視認性が向上する。また、紙送り部４と光学部５とを一体化し、かつ装置本体６から斜め上方に突出するよう構成したため、斜め上方に突出させた場合、送信用給紙スタッカ１および送信用排紙スタッカ２が斜め上方に持ち上げられるため、周辺部空間を広くすることができ、これにより送信用原稿セット時の操作性を向上させることが可能となる。【選択図】      図１
2008182383.tif 000002
【特許請求の範囲】
【請求項１】
送信前の原稿が載置される送信用給紙スタッカと、送信後の原稿が載置される送信用排紙スタッカと、受信後の記録紙が載置される受信用排紙スタッカと、送信用原稿の紙送り部と、前記送信用原稿の表面に形成された画像を電気的信号に変換して送信データとして読み込む光学部とを含むファクシミリ装置であって、
前記受信用排紙スタッカから排出される記録紙が前記送信用給紙スタッカ上の原稿よりも上方に位置するように前記送信用給紙スタッカの後方に前記受信用排紙スタッカが設けられ、
前記送信用給紙スタッカの下方に前記送信用排紙スタッカが設けられ、
前記紙送り部に前記送信用給紙スタッカおよび前記送信用排紙スタッカが取り付けられ、
前記紙送り部の下部に前記光学部が機械的に固定され、さらに前記送信用給紙スタッカ、送信用排紙スタッカ、紙送り部および光学部は一体的に装置本体から移動可能に構成され、移動前および移動後の両者において前記送信用給紙スタッカおよび送信用排紙スタッカを用いた処理が可能であることを特徴とするファクシミリ装置。
【請求項２】
前記送信用給紙スタッカおよび前記送信用排紙スタッカが前記装置本体から斜め上方に突出するように前記紙送り部が前記装置本体に固定され、
前記送信用給紙スタッカおよび前記送信用排紙スタッカが前記装置本体から斜め上方に突出した場合、前記送信用給紙スタッカおよび前記送信用排紙スタッカの先端は前記装置本体の側面から突出しないよう構成されることを特徴とする請求項１記載のファクシミリ装置。
【請求項３】
送信前の原稿が載置される送信用給紙スタッカと、送信後の原稿が載置される送信用排紙スタッカと、受信後の記録紙が載置される受信用排紙スタッカと、送信用原稿の紙送り部と、前記送信用原稿の表面に形成された画像を電気的信号に変換して送信データとして読み込む光学部とを含むファクシミリ装置における給排紙機構であって、
前記受信用排紙スタッカから排出される記録紙が前記送信用給紙スタッカ上の原稿よりも上方に位置するように前記送信用給紙スタッカの後方に前記受信用排紙スタッカが設けられ、
前記送信用給紙スタッカの下方に前記送信用排紙スタッカが設けられ、
前記紙送り部に前記送信用給紙スタッカおよび前記送信用排紙スタッカが取り付けられ、
前記紙送り部の下部に前記光学部が機械的に固定され、さらに前記送信用給紙スタッカ、送信用排紙スタッカ、紙送り部および光学部は一体的に装置本体から移動可能に構成され、移動前および移動後の両者において前記送信用給紙スタッカおよび送信用排紙スタッカを用いた処理が可能であることを特徴とする給排紙機構。
【請求項４】
前記送信用給紙スタッカおよび前記送信用排紙スタッカが前記装置本体から斜め上方に突出するように前記紙送り部が前記装置本体に固定され、
前記送信用給紙スタッカおよび前記送信用排紙スタッカが前記装置本体から斜め上方に突出した場合、前記送信用給紙スタッカおよび前記送信用排紙スタッカの先端は前記装置本体の側面から突出しないよう構成されることを特徴とする請求項３記載の給排紙機構。
【発明の詳細な説明】
【技術分野】
【０００１】
本発明は、ファクシミリ装置およびその給排紙機構に関し、特に送信スタッカおよび受信スタッカの先端が装置側面から突出しておらず、上下に各スタッカが積み重なり合う構造のファクシミリ装置およびその給排紙機構に関する。
【背景技術】
【０００２】
昨今では、個人情報の保護が重要視されており、特にこのような情報をファクシミリ装置にて受信することを業務の一部としている使用者にとっては、受信した情報を長時間ファクシミリ装置上に放置していることは耐え難く、受信出力した記録紙を早期に認識して手元に確保したいという要求が強まっている。
【０００３】
また、特に日本等の地価が比較的高価な場所では、設置面積が少なくてすむ送受信スタッカが上下に積み重なった形式のファクシミリ装置を要求する声が高く、上記と兼ね合わせた構造の実現が望まれている。
【０００４】
図６は従来のこの種のファクシミリ装置の一例の外観斜視図である。同図を参照すると、従来のファクシミリ装置１００は、送信前の原稿を堆積する送信用給紙スタッカ１０１と、送信後の原稿を堆積する送信用排紙スタッカ１０２と、受信後の記録紙を堆積する受信用排紙スタッカ１０３と、操作パネル１０４と、送信ボタン１０５とを含んで構成される。
【０００５】
このファクシミリ装置１００は送信スタッカ１０１、１０２および受信スタッカ１０３の先端が装置１００の側面から突出しておらず、上下に各スタッカ１０１〜１０３が積み重なり合う構造を有している。
【０００６】
このファクシミリ装置１００において、送信する原稿は送信用給紙スタッカ１０１に堆積される。そして、操作パネル１０４上の送信ボタン１０５等を押下すると、図示しない送信用原稿が１枚ずつ送信スタッカ１０１からファクシミリ装置１００内部の図示しない光学部に搬送され、ここで読み取り走査された後送信される。そして、送信後の送信用原稿は送信用排紙スタッカ１０２に堆積される。また、受信後の記録紙は受信用排紙スタッカ１０３に堆積される。
【０００７】
一方、送信用給紙スタッカの下方に送信用排紙スタッカを設け、送信用給紙スタッカの上方に受信用排紙スタッカを設け、かつ受信用排紙スタッカを送信用給紙スタッカよりもやや後方にずらして配置した発明が特許文献１に記載されている。
【０００８】
また、原稿読み取り部を装置奥側に押すことにより、排出される原稿が操作部のキー類および表示部にかかるのを防止し、これにより操作性の向上を図る発明が特許文献２に記載されている。
【０００９】
また、読み取り部を上下させて読み取り部と記録部との間隔を生じさせる構成が特許文献３に記載されている。
【００１０】
また、送信原稿の下に送信済み原稿が排出される構成が特許文献４に記載されている。
【００１１】
また、スキャナを右側にスライドさせると、スキャナの後部に受信原稿用のスタッカが生成される発明が特許文献５に記載されている。
【００１２】
【特許文献１】特開平０５−１６０９３９号公報（段落０００６および図１）
【特許文献２】特開平１１−０４１３９１号公報（段落００５０、００５１、図３および図４）
【特許文献３】特開２００２−０９４７４１号公報（段落００１４および図１）
【特許文献４】特開昭６０−１１３５７２号公報（第２頁右下欄１６行〜第３頁左上欄６行および第３図）
【特許文献５】特開平０５−３３０７１３号公報（段落００４４および図３）
【発明の開示】
【発明が解決しようとする課題】
【００１３】
しかし、図６に示す従来のファクシミリ装置１００では、送信用給紙スタッカ１０１が装置１００の最上部に配置されており、受信した記録紙は送信用排紙スタッカ１０２の下方に位置する受信用排紙スタッカ１０３に集積される。このため、受信した記録紙は送信用排紙スタッカ１０２の陰になり、記録紙の有無を視認することが困難という欠点がある。
【００１４】
なお、本願の出願時において、一例としてＡ３サイズの普通紙記録型ファクシミリ装置の殆どがこのような構造を有している。
【００１５】
ファクシミリ通信においては、通信するタイミングを受信する側が決定することは特殊機能を使用した場合を除いて困難である。このため、受信側使用者にとって、気づかぬ間に受信した記録画像の有無を容易に確認するためには、受信用排紙スタッカ１０３上の視認性を向上させる必要がある。
【００１６】
この視認性の向上を図ったファクシミリ装置の一例を図７に示す。図７は従来のファクシミリ装置の他の一例の外観斜視図である。図６に示すファクシミリ装置１００は、受信した記録紙が送信用排紙スタッカ１０２の陰になるという欠点があったが、図７に示す他のファクシミリ装置１１０は、送信用給紙スタッカ１０１の上方に記録紙１０６が排出されるよう構成し、記録紙１０６の視認性の向上を図っている。あるいは、送信用給紙スタッカ１０１の上方に受信用排紙スタッカ１０３（不図示）を設け、受信用排紙スタッカ１０３上に記録紙１０６を堆積させるという構成も可能である。
【００１７】
しかし、図７に示す他のファクシミリ装置１１０は、図６の場合とは逆に、送信用給紙スタッカ１０１上の送信前の原稿が記録紙１０６あるいは受信用排紙スタッカ１０３の陰になり、送信前の原稿の視認性が悪化するという欠点がある。また、同時に送信時の操作性も悪化するという欠点がある。
【００１８】
また、特許文献１記載の発明は、送信用給紙スタッカの上方に受信用排紙スタッカを設けた点で本発明と共通する。一方、受信用排紙スタッカを送信用給紙スタッカよりもやや後方にずらして配置しているが、なおも送信用給紙スタッカ後方の約半分が受信用排紙スタッカの陰になっており、送信用給紙スタッカ上の原稿が目視しにくく、送信時の操作性が悪いという欠点がある。
【００１９】
これに対し、本発明は受信記録紙および送信用原稿の視認性を向上させるスタッカの構成と、送信時の操作性改善のため、原稿紙送り部の装置内搭載位置を変更する構成と、上記紙送り部と読み取り光学部とが機械的に結合され、一体で移動する構成とを有している。したがって、これらの構成を全く有しない特許文献１記載の発明とは構成が全く相違する。
【００２０】
また、特許文献２記載の発明は、原稿読み取り部を装置奥側に押した場合、原稿読み取り部が装置側面から突出する構成となっており、省スペース化が達成されていない。これに対し、本発明の紙送り部も前記原稿読み取り部と同様に可動に構成されているが、紙送り部を移動させた場合でも装置側面から突出しないため省スペース化を達成し得る。
【００２１】
また、特許文献３記載の発明は、送信用原稿の挿入方向と記録紙の排出方向が互いに逆であり、この点で本発明と構成が全く相違する。
【００２２】
また、特許文献４記載の発明は、給紙スタッカ上の送信用原稿が受信用ロール紙の陰となり、この点で本発明と構成が全く相違する。
【００２３】
また、特許文献５記載の発明は、スキャナを右側にスライドさせる構成が必須となるのに対し、本発明ではこのような構成は不要である。
【００２４】
そこで本発明の目的は、受信用排紙スタッカ上および送信用給紙スタッカ上の視認性向上と、送信用原稿セット時の操作性向上とを図ることが可能なファクシミリ装置およびその給排紙機構を提供することにある。
【課題を解決するための手段】
【００２５】
前記課題を解決するために、本発明によるファクシミリ装置は、送信前の原稿が載置される送信用給紙スタッカと、送信後の原稿が載置される送信用排紙スタッカと、受信後の記録紙が載置される受信用排紙スタッカと、送信用原稿の紙送り部と、前記送信用原稿の表面に形成された画像を電気的信号に変換して送信データとして読み込む光学部とを含むファクシミリ装置であって、前記受信用排紙スタッカから排出される記録紙が前記送信用給紙スタッカ上の原稿よりも上方に位置するように前記送信用給紙スタッカの後方に前記受信用排紙スタッカが設けられ、前記送信用給紙スタッカの下方に前記送信用排紙スタッカが設けられ、前記紙送り部に前記送信用給紙スタッカおよび前記送信用排紙スタッカが取り付けられ、前記紙送り部の下部に前記光学部が機械的に固定され、さらに前記送信用給紙スタッカ、送信用排紙スタッカ、紙送り部および光学部は一体的に装置本体から移動可能に構成され、移動前および移動後の両者において前記送信用給紙スタッカおよび送信用排紙スタッカを用いた処理が可能であることを特徴とする。
【００２６】
また、本発明による給排紙機構は、送信前の原稿が載置される送信用給紙スタッカと、送信後の原稿が載置される送信用排紙スタッカと、受信後の記録紙が載置される受信用排紙スタッカと、送信用原稿の紙送り部と、前記送信用原稿の表面に形成された画像を電気的信号に変換して送信データとして読み込む光学部とを含むファクシミリ装置における給排紙機構であって、前記受信用排紙スタッカから排出される記録紙が前記送信用給紙スタッカ上の原稿よりも上方に位置するように前記送信用給紙スタッカの後方に前記受信用排紙スタッカが設けられ、前記送信用給紙スタッカの下方に前記送信用排紙スタッカが設けられ、前記紙送り部に前記送信用給紙スタッカおよび前記送信用排紙スタッカが取り付けられ、前記紙送り部の下部に前記光学部が機械的に固定され、さらに前記送信用給紙スタッカ、送信用排紙スタッカ、紙送り部および光学部は一体的に装置本体から移動可能に構成され、移動前および移動後の両者において前記送信用給紙スタッカおよび送信用排紙スタッカを用いた処理が可能であることを特徴とする。
【００２７】
ここで、本発明の作用を述べる。本発明によるファクシミリ装置では、受信画像を記録し排出される記録紙と、送信前の原稿とが重ならないよう受信用排紙スタッカおよび送信用給紙スタッカが構成されている。これにより、受信用排紙スタッカ上および送信用給紙スタッカ上の視認性向上を図ることが可能となる。
【００２８】
また、送信用給紙スタッカから供給される送信用原稿を光学部を介して送信用排紙スタッカまで搬送する紙送り部の位置を変更する構成と、紙送り部と光学部とを一体化させる構成とを有するため、送信用原稿セット時の操作性向上を図ることが可能となる。
【発明の効果】
【００２９】
本発明によれば、上記構成を含むため、受信用排紙スタッカ上および送信用給紙スタッカ上の視認性向上と、送信用原稿セット時の操作性向上とを図ることが可能なファクシミリ装置およびその給排紙機構が得られる。
【発明を実施するための最良の形態】
【００３０】
以下、本発明の実施例について添付図面を参照しながら説明する。図１は本発明に係るファクシミリ装置の一例の縦断面図である。同図を参照すると、本発明に係るファクシミリ装置５０は、送信前の原稿を堆積する送信用給紙スタッカ１と、送信後の原稿を堆積する送信用排紙スタッカ２と、受信後の記録紙を堆積する受信用排紙スタッカ３と、送信用原稿の紙送り部４と、原稿表面に形成された画像を電気的信号に変換して送信データとして読み込む光学部５と、装置本体６と、受信した情報を記録する記録紙７が収納される給紙カセット８と、給紙ローラ２１〜２５および３１〜３５とを含んで構成される。
【００３１】
送信用排紙スタッカ２は送信用給紙スタッカ１の下方に設けられる。また、送信用給紙スタッカ１および送信用排紙スタッカ２は紙送り部４の図示しない送信前原稿の挿入口および送信後原稿の排出口に固定される。
【００３２】
紙送り部４は装置本体６の中央部に位置し、光学部５は紙送り部４の下部に機械的に固定される。そして、紙送り部４と光学部５は装置本体６から移動可能に構成される。
【００３３】
また、紙送り部４の後方（図１の紙送り部４の左側）に受信用排紙スタッカ３が配置され、装置本体６の底面に給紙カセット８が配置される。
【００３４】
すなわち、受信用排紙スタッカ３上の記録紙７が送信用給紙スタッカ１上の原稿（不図示）よりも上方に排出され、かつ記録紙７と原稿（不図示）が重ならないように送信用給紙スタッカ１の後方に受信用排紙スタッカ３が設けられている。
【００３５】
次に、本発明に係るファクシミリ装置５０の動作について説明する。
【００３６】
送信用給紙スタッカ１に載置された図示しない送信前の原稿（不図示）は、ローラ３１〜３５を介して紙送り部４の内部を搬送され、送信用排紙スタッカ２へ排出される。また、搬送中に、送信原稿表面に形成された画像は、光学部５によって電気的信号に変換されることによって送信データとして読み込まれる。
【００３７】
また、給紙カセット８から供給された記録紙７に受信データが静電式記録方式等の印刷技術によって画像として記録され、ローラ２１〜２５を介して受信用排紙スタッカ３上に排出される。
【００３８】
このとき、受信用排紙スタッカ３に排出された記録紙７と、送信用給紙スタッカ１に載置された送信前の原稿（不図示）の位置関係は、最上部に記録紙７が位置し、その下方に送信前の原稿（不図示）が位置し、かつ記録紙７と送信前の原稿（不図示）とが重ならない関係となる。
【００３９】
これにより、本発明によれば、受信用排紙スタッカ３上および送信用給紙スタッカ１上の視認性向上を図ることが可能となる。
【００４０】
また、送信用給紙スタッカ１と送信用排紙スタッカ２の先端が装置本体６の側面から突出しないように構成されるため、ファクシミリ装置５０を部屋の隅に配置することが可能となり、省スペース化を図ることが可能となる。
【００４１】
しかし、この形態では、送信用給紙スタッカ１および送信用排紙スタッカ２の周辺部空間が狭く、送信時の操作性が悪くなるという欠点がある。
【００４２】
この課題を解決するために、本発明では紙送り部４と光学部５とを一体化させるとともに、装置本体６から移動可能な構成とした。
【００４３】
図２は本発明に係るファクシミリ装置の他の一例の縦断面図である。なお、構成部分は図１に記載のファクシミリ装置と同様であるので、図１と同様の番号を付し、その説明を省略する。
【００４４】
図２を参照すると、紙送り部４と光学部５とは一体的に構成されるとともに、装置本体６から斜め上方（同図では右上）に突出するよう、装置本体６に搭載および固定されている。なお、同図では、紙送り部４と光学部５とを一体的に斜め上方に突出させるために、一例として、紙送り部４を保持部材４１および４２を介して装置本体６に固定している。一方、保持部材４１および４２を外せば図１に示すように紙送り部４と光学部５とを装置本体６内に収納することが可能である。また、同図には送信用排紙スタッカ２に読み込みが完了した原稿９が排出された態様が表示されている。
【００４５】
このように、紙送り部４と光学部５とを装置本体６から斜め上方（同図では右上）に突出させた状態では、送信用給紙スタッカ１の先端と、送信用排紙スタッカ２の先端はともに装置本体６の側面から突出しなくなるよう構成されている。これにより省スペース化を達成し得る。
【００４６】
図３は紙送り部４と光学部５とを斜め上方に持ち上げた場合のファクシミリ装置５０の外観斜視図である。なお、同図において図１および図２と同様の構成部分には同一番号を付し、その説明を省略する。また、同図では便宜上光学部５の表示を省略している。
【００４７】
これにより、本発明によれば、送信用給紙スタッカ１および送信用排紙スタッカ２が斜め上方に持ち上げられるため、周辺部空間を広くすることができる。また、受信用排紙スタッカ３に記録紙７が載置されている場合でも、送信用給紙スタッカ１が記録紙７の陰に入らないため、送信用原稿９をセットした時の操作性（すなわち、送信用給紙スタッカ１へのアクセス）を向上させることが可能となる。
【００４８】
すなわち、棚等が存在し、上方向のスペースが限られる場所にファクシミリ装置５０を設置する場合は、図１に示すように、紙送り部４と光学部５とを装置本体６内に沈み込ませる構成が好適であり、オフィスの角部等にファクシミリ装置５０を設置する場合は、図２に示すように、紙送り部４と光学部５とを装置本体６から突出させる構成が好適である。
【００４９】
次に、ファクシミリ装置の他の実施例について説明する。図１に示すファクシミリ装置５０では送信用給紙スタッカ１および送信用排紙スタッカ２の先端が装置本体６の側面から突出しない構成としたが、図４の本発明に係るファクシミリ装置５０の他の一例の縦断面図に示すように、送信用給紙スタッカ１および送信用排紙スタッカ２の先端が装置本体６の側面７１から突出するように構成することも可能である。
【００５０】
一方、図４に示すファクシミリ装置５０の紙送り部４と光学部５とを装置本体６から斜め上方（同図では右上）に突出させた一例が図５に示されている。
【００５１】
すなわち、図５に示すように、たとえば装置本体６の側面７１にケーブル６１等の突起物が取り付けられる場合は、ファクシミリ装置５０を部屋の隅に設置した場合でも装置本体６の側面７１と部屋の壁面７２との間にケーブル６１等の突起物の寸法以上の間隔７３が生じるため、その間隔７３分だけ送信用給紙スタッカ１および送信用排紙スタッカ２の先端が装置本体６の側面７１から突出したとしても、それが省スペース化を妨げる要因とはならない。したがって、このようなファクシミリ装置５０の構成も本発明に含めることが可能である。
【００５２】
また、図５に示すように、紙送り部４と光学部５とを装置本体６から斜め上方（同図では右上）に突出させた場合は、送信用給紙スタッカ１の先端と、送信用排紙スタッカ２の先端はともに装置本体６の側面７１から突出しなくなるよう構成される。
【００５３】
もっとも、図５の場合、紙送り部４と光学部５とを装置本体６に沈めたときに送信用給紙スタッカ１および送信用排紙スタッカ２の先端が装置本体６の側面７１から突出しているので（図４参照）、紙送り部４と光学部５とを装置本体６から突出させる場合に送信用給紙スタッカ１および送信用排紙スタッカ２の先端が装置本体６の側面７１から突出する位置で固定することも可能である。
【００５４】
次に、本ファクシミリ装置の使用方法の具体例について説明する。本ファクシミリ装置５０は、予め用意された２つの位置のどちらかへ、選択的に紙送り部４と光学部５とを搭載および固定することが可能である。
【００５５】
まず、（１）受信記録を優先させる場合は、紙送り部４と光学部５とを装置本体６内に沈み込ませる形式にて搭載および固定する（図１および図４参照）。
【００５６】
これに対し、（２）送信原稿のセットを優先させる場合は、紙送り部４と光学部５とを装置本体６から斜め上方（右上）に突出する形式にて搭載および固定する（図２および図５参照）。
【００５７】
このように、本発明に係るファクシミリ装置５０によれば、受信記録を優先させる場合および送信原稿のセットを優先させる場合のいずれの場合においても、受信用排紙スタッカ３上および送信用給紙スタッカ１上の視認性向上を図ることが可能となり、これにより遠方に位置する使用者であっても容易に記録紙７の有無および送信用原稿を確認することが可能となる。
【００５８】
また、送信時の原稿をセットする操作性を犠牲にすることがなく、ファクシミリ装置に必要な面積を比較的小さくすることが可能となる。
【産業上の利用可能性】
【００５９】
本実施例では、静電式記録方式を用いたファクシミリ装置を一例に挙げたが、感熱方式等他方式の記録方式を採用したファクシミリ装置およびファクシミリ機能つき複合複写機へも本発明の適用が可能である。
【図面の簡単な説明】
【００６０】
【図１】本発明に係るファクシミリ装置の一例の縦断面図である。
【図２】本発明に係るファクシミリ装置の他の一例の縦断面図である。
【図３】紙送り部と光学部とを斜め上方に持ち上げた場合のファクシミリ装置の一例の外観斜視図である。
【図４】本発明に係るファクシミリ装置の他の一例の縦断面図である。
【図５】本発明に係るファクシミリ装置の他の一例の縦断面図である。
【図６】従来のこの種のファクシミリ装置の一例の外観斜視図である。
【図７】従来のファクシミリ装置の他の一例の外観斜視図である。
【符号の説明】
【００６１】
１  送信用給紙スタッカ
２  送信用排紙スタッカ
３  受信用排紙スタッカ
４  送信用原稿の紙送り部
５  光学部
６  装置本体
７  記録紙
８  給紙カセット
９  原稿
２１〜２５  給紙ローラ
３１〜３５  給紙ローラ
４１，４２  保持部材
５０  ファクシミリ装置
６１  ケーブル
７１  装置本体の側面
７２  部屋の壁面
７３  間隔
【図１】
2008182383.tif 000003
【図２】
2008182383.tif 000004
【図３】
2008182383.tif 000005
【図４】
2008182383.tif 000006
【図５】
2008182383.tif 000007
【図６】
2008182383.tif 000008
【図７】
2008182383.tif 000009